(57)【特許請求の範囲】
【請求項１】
テーブルの天板の縁部に取り付けられるテーブル用配線トレーであって、
当該テーブル用配線トレーは、前記テーブルの天板に取り付けられた状態において、当該天板の上面より上方の高さ位置から当該天板の下面より下方の高さ位置まで縦方向に延び、且つ当該天板の縁部から所定の間隔を空けて配置される板状の遮蔽部と、
前記遮蔽部の下端近傍から前記テーブルの天板の下方まで横方向に延びる配線保持部と、
前記テーブル用配線トレーを前記テーブルの天板に固定するためのブラケット部と、
を備え、
前記ブラケット部は、前記遮蔽板から前記テーブルの天板の下面に向けて延び、前記遮蔽板から前方に延びる一対の腕部と、該一対の腕部の先端の間を幅方向に延びる取付板とを備え、前記腕部及び取付板により平面視で遮蔽板に向かって開口した略コ字形に形成され、
前記テーブル用配線トレーは、さらに、前記ブラケット部の取付板の前記遮蔽板側の縁から下方に縦方向に延び、前記ブラケット部と配線保持部とを連結する連結部を備えている、
ことを特徴とするテーブル用配線トレー。
【請求項２】
請求項１に記載のテーブル用配線トレーを有することを特徴とするテーブル。
【発明の詳細な説明】
【技術分野】
【０００１】
本発明は、テーブル用配線トレー及びテーブルに関し、特に、テーブルの天板の縁部に取り付けられるテーブル用配線トレーに関する。
【背景技術】
【０００２】
従来から、複数の遠隔地のそれぞれにおいて、カメラ、ディスプレイ、マイク、スピーカを用意し、これらの機器をデータ回線によって相互に通信可能に接続することにより、各遠隔地の間で双方向の画像及び音声による会議が可能な、いわゆるビデオ会議システムが用いられている。
【０００３】
ビデオ会議システムでは、例えば、参加者が着席するテーブルと、このテーブルに隣接して配置されディスプレイを支持する表示装置支持体とが組み合わされて使用される（特許文献１）。
表示装置支持体は、左右の支柱にパネルを取り付けた壁体状に構成され、支柱の上段位置にディスプレイが取り付けられ、中段位置にカメラを設置するための棚が取り付けられている。
【先行技術文献】
【特許文献】
【０００４】
【特許文献１】特開２０１４−９３７４７号公報
【発明の概要】
【発明が解決しようとする課題】
【０００５】
ところで、近年では、パーソナルコンピュータの高性能化及び低価格化やインターネットの発達に伴い、パーソナルコンピュータ及びＷｅｂカメラをインターネットで接続することによって簡易にビデオ会議を行うことが可能になっている。
また、ビデオ会議に限らず、通常の会議においても、打ち合わせ資料等を表示するためにディスプレイを利用するシーンが増えてきている。
【０００６】
しかしながら、特許文献１に記載されているような従来のビデオ会議システムでは、テーブルとは別に、ディスプレイを支持するために高価な表示装置支持体を準備しなければならず、パーソナルコンピュータやインターネットを利用したビデオ会議の簡便性を損なう原因となっている。
また、上記のような表示装置支持体を使用せず、単にパーソナルコンピュータのディスプレイをテーブル上に設置した場合、ディスプレイとコンピュータやコンセント等を接続する配線がテーブル周辺に露出してしまうので、美観上好ましくないだけではなく、テーブル周辺の歩行の妨げにもなる。また、テーブル上におけるディスプレイの位置が固定されないので、ずれや落下の可能性がある。
【０００７】
本発明は、上述した従来技術の問題点を解決するためになされたものであり、テーブル上に設置されたディスプレイ等の配線をテーブル周辺に露出しないように収納することができ、テーブル上のディスプレイのずれや落下を防止することができる、テーブル用配線トレー及びテーブルを提供することを目的とする。
【課題を解決するための手段】
【０００８】
上記の目的を達成するために、本発明のテーブル用配線トレーは、テーブルの天板の縁部に取り付けられるテーブル用配線トレーであって、テーブル用配線トレーは、テーブルの天板に取り付けられた状態において、天板の上面より上方の高さ位置から天板の下面より下方の高さ位置まで縦方向に延び、且つ天板の縁部から所定の間隔を空けて配置される板状の遮蔽部と、遮蔽部の下端近傍からテーブルの天板の下方まで横方向に延びる配線保持部と、テーブル用配線トレーをテーブルの天板に固定するためのブラケット部と、を備えることを特徴とする。
また、本発明のテーブルは、上記のように構成されたテーブル用配線トレーを有することを特徴とする。
このように構成された本発明においては、テーブル用配線トレーがテーブルの天板に取り付けられた状態において、遮蔽部は、天板の上面より上方の高さ位置から天板の下面より下方の高さ位置まで縦方向に延びると共に、天板の縁部から所定の間隔を空けて配置され、配線保持部は、遮蔽部の下端近傍からテーブルの天板の下方まで横方向に延びるので、テーブル上に設置したディスプレイに接続された電源ケーブルや映像ケーブル等の配線を、テーブルの天板と遮蔽部との間を通して配線保持部まで導いてその上に載置することができる。また、ディスプレイの背面に接続された配線のコネクタ部や、ディスプレイから配線保持部へ延びる配線を、ディスプレイの後方において上下に延びる遮蔽部によって覆い隠すことができる。即ち、本発明のテーブル用配線トレーによれば、高価な表示装置支持体等を用いることなくテーブル上に設置されたディスプレイ等の周辺をすっきりとさせることができる。
また、遮蔽部は、テーブル上に設置したディスプレイの後方への移動を規制するので、テーブル上に載置したディスプレイのずれや落下を防止することができる。
さらに、テーブル用配線トレーは、ブラケット部によってテーブルの天板に固定されるので、専用の取付構造をテーブルの天板に設ける必要がなく、既存のテーブルにも後付することが可能である。
【０００９】
また、本発明において、ブラケット部は、前記遮蔽部から前記テーブルの天板まで横方向に延び、ブラケット部には、テーブルの天板上に載置された電子機器の配線を配線保持部まで導くための開口が形成されている。
このように構成された本発明においては、テーブル用配線トレーを簡易な構造でテーブルの天板に固定することができると共に、テーブル上に設置したディスプレイに接続された電源ケーブルや映像ケーブル等の配線を、ブラケット部の開口を通して配線保持部まで導いてその上に載置することができる。
【００１０】
また、本発明において、テーブル用配線トレーは、さらに、ブラケット部と配線保持部との間に縦方向に延び、これらのブラケット部と配線保持部とを連結する連結部を備える。
このように構成された本発明においては、配線保持部の上に載置された配線の重量を連結部によって確実に支えることができる。
【発明の効果】
【００１１】
本発明によるテーブル用配線トレー及びテーブルによれば、テーブル上に設置されたディスプレイ等の配線をテーブル周辺に露出しないように収納することができ、テーブル上のディスプレイのずれや落下を防止することができる。
【図面の簡単な説明】
【００１２】
【図１】本発明の実施形態によるテーブル用配線トレーを備えたテーブルを斜め上方から見た斜視図である。
【図２】本発明の実施形態によるテーブル用配線トレーの斜視図である。
【図３】本発明の実施形態によるテーブル用配線トレーの側面図である。
【図４】本発明の実施形態によるテーブル用配線トレーの使用状態を斜め前方から見た斜視図である。
【図５】本発明の実施形態によるテーブル用配線トレーの使用状態を斜め後方から見た斜視図である。
【図６】本発明の実施形態によるテーブル用配線トレーの斜視図である。
【図７】本発明の実施形態によるテーブル用配線トレーの正面図である。
【図８】本発明の実施形態によるテーブル用配線トレーの背面図である。
【図９】本発明の実施形態によるテーブル用配線トレーの右側面図である。
【図１０】本発明の実施形態によるテーブル用配線トレーの左側面図である。
【図１１】本発明の実施形態によるテーブル用配線トレーの平面図である。
【図１２】本発明の実施形態によるテーブル用配線トレーの底面図である。
【発明を実施するための形態】
【００１３】
以下、添付図面を参照して、本発明の実施形態によるテーブル用配線トレー及びテーブルを説明する。
まず、図１により、本発明の実施形態によるテーブル用配線トレーを備えたテーブルについて説明する。図１は本発明の実施形態によるテーブル用配線トレーを備えたテーブルを斜め上方から見た斜視図である。
本発明における「テーブル」は、ミーティングテーブル、カウンターテーブル、デスク等、天板を備えた各種の机又はテーブルを含むものとする。
【００１４】
図１に示すように、本実施形態のテーブル１は、四角形（図１では台形）の天板２と、天板２の下面に取り付けられる４本の脚４とを備えている。
そして、テーブル１の天板２における１つの辺（図１では台形における下底）の中央近傍に、テーブル用配線トレー６が取り付けられている。
【００１５】
次に、図２及び図３により、本発明の実施形態によるテーブル用配線トレー６について説明する。図２は、本発明の実施形態によるテーブル用配線トレー６の斜視図であり、図３は、本発明の実施形態によるテーブル用配線トレー６の側面図である。なお、図２及び図３では、テーブル用配線トレー６が取り付けられたテーブル１を仮想線により示している。
【００１６】
図２及び図３に示すように、テーブル用配線トレー６は、垂直方向（縦方向）に延びる矩形の遮蔽板８と、この遮蔽板８の下端から水平方向に延びる配線保持部１０とを備え、これらの遮蔽板８及び配線保持部１０により、側面視で略Ｌ字形を形成している。また、配線保持部１０の先端には、斜め上方に折り曲げられた屈曲部１２が形成されている。
以下の説明では、遮蔽板８から配線保持部１０が延びる方向を「前方」とし、その反対方向を「後方」として説明する。また、水平方向の長さを「幅」、垂直方向の長さを「高さ」、前後方向の長さを「長さ」と呼ぶこととする。
【００１７】
これらの遮蔽板８及び配線保持部１０のサイズは任意であるが、例えば、遮蔽板８及び配線保持部１０の幅は１５０ｍｍから４５０ｍｍの範囲内であり、好ましくは２５０ｍｍである。また、遮蔽板８の高さは１５０ｍｍから４５０ｍｍの範囲内であり、好ましくは２５０ｍｍである。また、配線保持部１０が遮蔽板８から前方に延びる長さは、１５０ｍｍから４５０ｍｍの範囲内であり、好ましくは２５０ｍｍである。
【００１８】
また、遮蔽板８の高さ方向中央近傍からテーブル１の天板２の下面に向けて延びるように、板状のブラケット部１４が設けられている。このブラケット部１４は、遮蔽板８の高さ方向中央近傍において遮蔽板８の両側端部から前方に延びる一対の腕部１６と、これらの一対の腕部１６の先端の間を幅方向に延びる取付板１８とを備えている。これらの腕部１６及び取付板１８により、ブラケット部１４は平面視で遮蔽板８に向かって開口した略コ字形に形成されている。
このブラケット部１４のサイズは任意であるが、例えば、ブラケット部１４が遮蔽板８から前方に延びる長さは、１００ｍｍから２００ｍｍの範囲内であり、好ましくは１５０ｍｍである。このうち、腕部１６の長さは、４０ｍｍから１００ｍｍの範囲内であり、好ましくは７０ｍｍである。また、ブラケット部１４の腕部１６の位置は、例えば、遮蔽板８の下端から８０ｍｍから２３０ｍｍの高さの範囲内であり、好ましくは１３０ｍｍの高さ位置である。
【００１９】
また、テーブル用配線トレー６は、ブラケット部１４と配線保持部１０とを連結する連結部２０を備えている。この連結部２０は、ブラケット部１４の取付板１８における遮蔽板８側の縁から下方へ（即ち配線保持部１０に向かって）垂直（縦方向）に延びる板体であり、その下端で配線保持部１０に結合されている。
【００２０】
上記のように構成されたテーブル用配線トレー６は、ブラケット部１４の取付板１８においてテーブル１の天板２の下面に取り付けられる。ブラケット部１４の取付板１８には、ねじを挿通させる挿通孔２２が複数個所（図２では４か所）設けられており、テーブル１の天板２の下面には、取付板１８の挿通孔２２に対応する位置にねじ穴が設けられている。テーブル用配線トレー６をテーブル１の天板２に取り付ける場合、テーブル用配線トレー６の取付板１８の各挿通孔２２を介して、ねじをテーブル１の天板２下面のねじ穴に締結することにより、ブラケット部１４がテーブル１に固定され、このブラケット部１４によって遮蔽板８及び配線保持部１０が支持される。
【００２１】
テーブル用配線トレー６をテーブル１の天板２に取り付けた状態において、テーブル用配線トレー６の遮蔽板８は、天板２の縁部に沿って延び、且つ、天板２の縁部から所定の間隔Ｌを空けて配置される。この間隔Ｌは任意であるが、例えば３０ｍｍから８０ｍｍの範囲内であり、好ましくは５０ｍｍである。
また、遮蔽板８の上端はテーブル１の上面より上方の高さに位置し、下端はテーブル１の下面より下方の高さに位置する。上述したように、ブラケット部１４は遮蔽板８の高さ方向中央近傍に設けられているので、遮蔽板８がテーブル１の上面から上方に延びる長さ及びテーブル１の下面から下方に延びる高さは、それぞれ、遮蔽板８の高さ（１５０ｍｍから４５０ｍｍ）の半分程度である。
【００２２】
次に、図４及び図５により、本発明の実施形態によるテーブル用配線トレー６の使用状態を説明する。図４は、本発明の実施形態によるテーブル用配線トレー６の使用状態を斜め前方から見た斜視図であり、図５は、本発明の実施形態によるテーブル用配線トレー６の使用状態を斜め後方から見た斜視図である。
【００２３】
テーブル用配線トレー６は、例えばビデオ会議を行うためにディスプレイ２４をテーブル１上に設置する際に使用される。
図４に示すように、テーブル１の天板２における１つの辺の中央近傍に、テーブル用配線トレー６を取り付けると共に、テーブル用配線トレー６の前方においてテーブル１の天板２上にディスプレイ２４を設置する。ディスプレイ２４に接続された電源ケーブルや映像ケーブル等の配線２６は、テーブル１の天板２の縁部、遮蔽板８、及びブラケット部１４の腕部１６によって形成された開口に挿通され、テーブル用配線トレー６の配線保持部１０の上に載置される。
【００２４】
図５に示すように、ディスプレイ２４の背面に接続された配線２６のコネクタ部や、ディスプレイ２４から配線保持部１０へ延びる配線２６は、ディスプレイ２４の後方において上下に延びる遮蔽板８によってテーブル１の後方から遮蔽される。また、ディスプレイ２４に接続された配線２６の余長部分は、テーブル用配線トレー６の配線保持部１０の上に載置される。
【００２５】
次に、上述した本発明の実施形態によるテーブル用配線トレー６及びテーブル１の作用効果を説明する。
まず、本発明の実施形態によれば、テーブル用配線トレー６がテーブル１の天板２に取り付けられた状態において、遮蔽板８は、天板２の上面より上方の高さ位置から天板２の下面より下方の高さ位置まで縦方向に延びると共に、天板２の縁部から所定の間隔を空けて配置され、配線保持部１０は、遮蔽板８の下端近傍からテーブル１の天板２の下方まで略水平方向に延びるので、テーブル１上に設置したディスプレイ２４に接続された電源ケーブルや映像ケーブル等の配線２６を、テーブル１の天板２と遮蔽板８との間を通して配線保持部１０まで導いてその上に載置することができる。また、ディスプレイ２４の背面に接続された配線２６のコネクタ部や、ディスプレイ２４から配線保持部１０へ延びる配線２６を、ディスプレイ２４の後方において上下に延びる遮蔽板８によって覆い隠すことができる。即ち、本発明の実施形態のテーブル用配線トレー６によれば、高価な表示装置支持体等を用いることなくテーブル１上に設置されたディスプレイ２４等の周辺をすっきりとさせることができる。
また、遮蔽板８は、テーブル１上に設置したディスプレイ２４の後方への移動を規制するので、テーブル１上に載置したディスプレイ２４のずれや落下を防止することができる。
さらに、テーブル用配線トレー６は、ブラケット部１４によってテーブル１の天板２に固定されるので、専用の取付構造をテーブル１の天板２に設ける必要がなく、既存のテーブル１にも後付することが可能である。
【００２６】
特に、ブラケット部１４には、テーブル１の天板２の上面より上方の高さ位置と配線保持部１０との間で配線を引き回すための開口が形成されているので、テーブル用配線トレー６を簡易な構造でテーブル１の天板２に固定することができると共に、テーブル１上に設置したディスプレイに接続された電源ケーブルや映像ケーブル等の配線を、ブラケット部１４の開口を通して配線保持部１０まで導いてその上に載置することができる。
【００２７】
また、テーブル用配線トレー６は、ブラケット部１４と配線保持部１０との間に縦方向に延び、これらのブラケット部１４と配線保持部１０とを連結する連結部２０を備えるので、配線保持部１０の上に載置された配線２６の重量を連結部２０によって確実に支えることができる。
【００２８】
図６乃至図１２により、本発明の実施形態によるテーブル用配線トレー６の全体形状を示す。
図６は、本発明の実施形態によるテーブル用配線トレー６の斜視図であり、図７は、本発明の実施形態によるテーブル用配線トレー６の正面図であり、図８は、本発明の実施形態によるテーブル用配線トレー６の背面図であり、図９は、本発明の実施形態によるテーブル用配線トレー６の右側面図であり、図１０は、本発明の実施形態によるテーブル用配線トレー６の左側面図であり、図１１は、本発明の実施形態によるテーブル用配線トレー６の平面図であり、図１２は、本発明の実施形態によるテーブル用配線トレー６の底面図である。図６乃至図１２においては、本発明によるテーブル用配線トレー６の形状において特徴のある部分を実線で表し、残りの部分を破線で表している。
【００２９】
以上、本発明の実施形態を説明したが、本発明の具体的な構成及び手段は、特許請求の範囲に記載した各発明の技術的思想の範囲内において、任意に改変及び改良することができる。
【００３０】
まず、上記の説明では、図１に示したように、平面視で台形の天板２を備えたテーブル１にテーブル用配線トレー６が取り付けられている場合を例示したが、これとは異なる形状の天板（例えば矩形や多角形、円形等）を有するテーブルや、カウンターテーブル、デスク等、天板を備えた各種の机又はテーブルにテーブル用配線トレー６を取り付けることもできる。
【００３１】
また、上記の説明では、図１に示したように、テーブル１の天板２における１つの辺の中央近傍に、テーブル用配線トレー６が取り付けられている場合を例示したが、天板２の１つの辺に複数のテーブル用配線トレー６を取り付けてもよく、天板２の複数の辺のそれぞれにテーブル用配線トレー６を取り付けてもよい。
【００３２】
また、上記の説明では、配線保持部１０は、遮蔽板８の下端からテーブル１の天板２の下方まで水平方向に延びると説明したが、配線保持部１０は、テーブル１の天板２の下面に向けて上方に、又は天板２の下面から遠ざかる方向に若干下方に傾斜していてもよい。
【符号の説明】
【００３３】
１  テーブル
２  天板
４  脚
６  テーブル用配線トレー
８  遮蔽板
１０  配線保持部
１２  屈曲部
１４  ブラケット部
１６  腕部
１８  取付板
２０  連結部
２２  挿通孔
２４  ディスプレイ
２６  配線
【図１】
0006474234.tif 000002
【図２】
0006474234.tif 000003
【図３】
0006474234.tif 000004
【図４】
0006474234.tif 000005
【図５】
0006474234.tif 000006
【図６】
0006474234.tif 000007
【図７】
0006474234.tif 000008
【図８】
0006474234.tif 000009
【図９】
0006474234.tif 000010
【図１０】
0006474234.tif 000011
【図１１】
0006474234.tif 000012
【図１２】
0006474234.tif 000013